(57)【特許請求の範囲】
【請求項１】
電気的なオン状態及びオフ状態間での切換えを行うために、接触状態及び非接触状態間で動作可能な複数の導電性接片を有するスイッチにおいて、
前記複数の導電性接片の一部をそれぞれ両面フレキシブルプリント基板における露出したパターンに直接接触させて、前記導電性接片の他の部分を前記両面フレキシブルプリント基板外において互いに接触可能とさせるとともに、これら導電性接片に締め付け力を付与する締付け手段を用いて前記両面フレキシブルプリント基板を挟持させ、さらに前記締付け手段により、前記複数の導電性接片および両面フレキシブルプリント基板を取付対象部材に固定したことを特徴とするスイッチ。
【発明の詳細な説明】
【０００１】
【発明の属する技術分野】
本発明は、複数の導電性接片の接触／非接触により電気的なオン／オフ切換えを行うスイッチに関するものである。
【０００２】
【従来の技術】
上記のようなスイッチ（リーフスイッチ）は、特開昭６３−４５６９７号公報等にて提案されているように、複数の導電性接片に電気信号伝達用のリード線を半田付けし、例えばこれら導電性接片が未操作状態で非接触となるようスペーサー部材を挟んでケース等にビス止め等されて組み立てられる。
【０００３】
そして、このように組み立てられたリーフスイッチでは、少なくとも１つの導電性接片が、操作力により弾性変形して他の導電性接片に接触することにより、電気的なオン状態が得られる。
【０００４】
【発明が解決しようとする課題】
しかしながら、このようなリーフスイッチにおいては、組立ての際に、導電性接片に対するリード線の半田付け工程が必要となるうえ、スペーサー部材が必要で部品点数が多くなるため、コスト高を招き易いという問題がある。
【０００５】
そこで、本願発明の第１の目的は、リード線の半田付けを不要とし、かつ少ない部品で構成することができるリーフスイッチを提供することである。
【０００６】
また、本願発明の第２の目的は、導電性接片を介してより確実に電気信号を伝達することができるようにしたリーフスイッチを提供することである。
【０００７】
【課題を解決するための手段】
上記の目的を達成するために、本願発明では、電気的なオン状態及びオフ状態間での切換えを行うために、接触状態及び非接触状態間で動作可能な複数の導電性接片を有するリーフスイッチにおいて、複数の導電性接片の一部を両面フレキシブルプリント基板において露出したパターンに直接接触させて、導電性接片の他の部分を両面フレキシブルプリント基板外で互いに接触可能とさせるとともに、これら導電性接片に両面プリント基板を挟持させるようにしている。
【０００８】
例えば、ビス等の締付け手段を用いて導電性接片および両面プリント基板に締め付け力を付与することにより、導電性接片に両面プリント基板を挟持させ、さらにこの締め付け力によって導電性接片と基板の表裏のパターンとを直接接触させる。これにより、半田付けを行わずに組み立てることができるようにしている。しかも、両面プリント基板がスペーサーの役割を果たさせることにより、スペーサー専用の部材を用いる場合に比べて部品点数を減少させることができるようにしている。
【０００９】
なお、上記締付け手段を利用して導電性接片および両面プリント基板をケース等の取付対象部材に固定できるようにし、組立性の向上を図るのが望ましい。
【００１０】
また、導電性接片におけるパターンとの接触部分に突起を設けることにより、上記締め付け力がこの突起とパターンとの接触点に集中して作用するようにし、半田付けを行わなくても両者の導通をより確実なものとすることができるようにしている。
【００１１】
【発明の実施の形態】
（第１実施形態）
図１は、本発明の第１実施形態であるリーフスイッチを示している。この図において、１は第１の導電性接片であり、２は第２の導電性接片である。第１の導電性接片１は、本体部１ａと、この本体部１ａに対して斜め上方に屈曲し、下方に凸となる突起を有する接触部１ｂとを有する。また、第２の導電性接片２は、本体部２ａと、この本体部２ａに対してまっすぐに延び、上方に凸となる突起を有する接触部２ｂとを有する。さらに、これら導電性接片１，２の本体部１ａ，２ａには、貫通孔１ｃ，２ｃがそれぞれ形成されている。
【００１２】
３は表面および裏面の双方にパターン３ａ，３ｂが形成された両面フレキシブルプリント基板であり、この基板３の先端部では、カバーレイフィルム３ｃが除去されてパターン３ａ，３ｂが露出している。また、このフレキシブルプリント基板３の先端部には貫通孔３ｄが形成されている。
【００１３】
本実施形態のリーフスイッチを組み立てるには、上側の第１および下側の第２の導電性接片１，２の間にフレキシブルプリント基板３を挟んだ状態で、これらを装置等のケース５の所定位置に配置する。ケース５の所定位置には、内側がねじ切りされたビス穴５ａが形成されている。
【００１４】
そして、図に示すように、両導電性接片１，２およびフレキシブルプリント基板３の貫通孔１ｃ，２ｃ，３ｄにビス４を通し、このビス４をビス穴５ａにねじ込む。
【００１５】
これにより、両導電性接片１，２およびフレキシブルプリント基板３にビス４による締め付け力が発生し、フレキシブルプリント基板３は両導電性接片１，２に挟持される。さらに、両導電性接片１，２の本体部１ａ，２ａはフレキシブルプリント基板３のパターン３ａ，３ｂに直接接触するので、これらの導通が確保される。
【００１６】
また、フレキシブルプリント基板３が介在することにより両導電性接片１，２の未操作時における非接触状態（オフ状態）が確保できるため、従来のようにスペーサー専用部材を用いる場合に比べて、部品点数を減少させることができる。しかも、ビス４によって両導電性接片１，２およびフレキシブルプリント基板３がケース５に固定されるので、別に固定専用の部材を用いて固定する場合に比べて組立工数が減り、組立性の向上を図れる。
【００１７】
以上のようにして組み立てられたリーフスイッチは、いわゆるノーマルオープン（オフ）タイプのスイッチである。そして、第１の導電性接片１の接触部１ｂに図示しない操作部材等を介して操作力を加え、これを下方に弾性変形させることにより、接触部１ｂと第２の導電性接片２の接触部２ｂとが接触して、電気的なオン状態が得られる。
【００１８】
（第２実施形態）
図２は、本発明の第２実施形態であるリーフスイッチを示している。この図において、１１は第１の導電性接片であり、１２は第２の導電性接片であり、１６は第３の導電性接片である。第１および第２の導電性接片１１，１２は、本体部１１ａ，１２ａと、この本体部１１ａ，１２ａに対して斜め上方に屈曲し、下方に凸となる突起を有する接触部１１ｂ，１２ｂとを有する。
【００１９】
また、第３の導電性接片１６は、本体部１６ａと、この本体部１６ａの左右両側にまっすぐに延び、それぞれ上方に凸となる突起を有する接触部１６ｂとを有する。さらに、第１および第２の導電性接片１１，１２の本体部１１ａ，１２ａには、貫通孔１１ｃ，１２ｃがそれぞれ形成されており、第３の導電性接片１６の本体部１６ａの左右には、貫通孔１６ｃが形成されている。
【００２０】
また、第１および第２の導電性接片１１，１２の本体部１１ａ，１２ａには、下方に凸となる突起１１ｄ，１２ｄが形成されており、第３の導電性接片１６の本体部１６ａの左右には、上方に凸となる突起１６ｄが形成されている。
【００２１】
１３は表面に互いに絶縁されたパターン１３ａ，１３ｂが形成され、裏面にパターン１３ｃが形成されたフレキシブルプリント基板であり、この基板１３の先端部では、カバーレイフィルム１３ｄが除去されてパターン１３ａ，１３ｂ，１３ｃが露出している。また、このフレキシブルプリント基板１３の先端部の左右には貫通孔１３ｅが形成されている。
【００２２】
本実施形態のリーフスイッチを組み立てるには、上側の第１および第２の導電性接片１１，１２と下側の第３の導電性接片１６との間にフレキシブルプリント基板１３を挟んだ状態で、これらを装置等のケース１５の所定位置に配置する。ケース１５の所定位置の左右には、内側がねじ切りされたビス穴１５ａが形成されている。
【００２３】
そして、図に示すように、各導電性接片１１，１２，１６およびフレキシブルプリント基板１３の貫通孔１１ｃ，１２ｃ，１６ｃ，１３ｅにビス１４を通し、これらビス１４をビス穴１５ａにねじ込む。
【００２４】
これにより、導電性接片１１，１２，１６およびフレキシブルプリント基板１３にビス１４による締め付け力が発生し、フレキシブルプリント基板１３は導電性接片１１，１２，１６に挟持される。
【００２５】
さらに、導電性接片１１，１２，１６の本体部１１ａ，１２ａ，１６ａはフレキシブルプリント基板１３のパターン１３ａ，１３ｂ，１３ｃに直接接触するので、これらの導通が確保される。しかも、上記締付け力は突起１１ｄ，１２ｄ，１６ｄとこれらに接触するパターン１３ａ，１３ｂ，１３ｃとの間に集中して作用し、ここに大きな接触圧が発生するため、導電性接片１１，１２，１６とパターン１３ａ，１３ｂ，１３ｃとの導通がより確実になる。
【００２６】
また、フレキシブルプリント基板１３が介在することにより第１および第２の導電性接片１１，１２と第３の導電性接片１６との間の未操作時における非接触状態（オフ状態）が確保できるため、従来のようにスペーサー専用部材を用いる場合に比べて、部品点数を減少させることができる。
【００２７】
しかも、ビス１４によって導電性接片１１，１２，１６およびフレキシブルプリント基板１３がケース１５に固定されるので、別に固定専用の部材を用いて固定する場合に比べて組立工数が減り、組立性の向上を図れる。
【００２８】
以上のようにして組み立てられたリーフスイッチは、いわゆるノーマルオープン（オフ）タイプのスイッチである。そして、第１又は第２の導電性接片１１，１２の接触部１１ｂ，１２ｂに図示しない操作部材等を介して操作力を加え、これらを下方に弾性変形させることにより、接触部１１ｂ，１２ｂと第３の導電性接片１６の接触部１６ｂとが接触して、電気的なオン状態が得られる。
【００２９】
なお、本発明における導電性接片の形状は、上記各実施形態において示した導電性接片の形状に限定されるものではない。また、上記各実施形態では、フレキシブルプリント基板を用いてリーフスイッチを構成した場合について説明したが、本発明ではフレキシブルでないプリント基板を用いることも可能である。
【００３０】
また、上記各実施形態では、ノーマルオープンタイプのリーフスイッチについて説明したが、本発明は、導電性接片が未操作状態で接触し、操作時に非接触となってオフとなるノーマルクローズタイプのリーフスイッチにも適用できる。
【００３１】
さらに、本発明は、以上の実施形態および変形例、またはそれら技術要素を必要に応じて組み合わせて用いてもよい。
【００３２】
（実施形態と請求の範囲との関係）
上記実施形態における第１，第２および第３の導電性接片１，２，１１，１２，１６が請求の範囲にいう導電性接片に、フレキシブルプリント基板３，１３が請求の範囲にいう両面プリント基板に、パターン３ａ，３ｂ，１３ａ，１３ｂ，１３ｃが請求の範囲にいうパターンに、ビス４，１４が請求の範囲にいう締付け手段に、ケース５，１５が請求の範囲いう取付対象部材に、それぞれ相当する。なお、以上が本発明の各構成と実施形態の各構成の対応関係であるが、本発明はこれら実施形態の構成に限られるものではなく、請求項に示した機構または実施形態の構成が持つ機能が達成できる構成であればどのようなものであってもよい。
【００３３】
【発明の効果】
以上説明したように、本願第１の発明では、複数の導電性接片を両面プリント基板のパターンに直接接触させながら、これら導電性接片に両面プリント基板を挟持させるようにしてスイッチを構成している。このため、本発明を用いれば、半田付けを行わずに組み立てることができるとともに、プリント基板自体がスペーサーとしての役割も果たすため、スペーサー専用部材を用いる場合に比べて部品点数を減少させることができ、低コストのスイッチを実現することができる。そして、導電性接片とプリント基板を締め付けるビス等を用いて、これらを取付対象部材に固定するようにすれば、固定専用の部品を用いて固定する場合に比べて組立性の向上を図ることができる。
【００３４】
また、本願第２の発明では、導電性接片におけるパターンとの接触部分に突起を設けている。このため、本発明を用いれば、ビス等の締め付け力がこの突起とパターンとの接触点に集中して作用し、ここに大きな接触圧を発生させることができるため、導電性接片とパターンとの導通をより確実なものとすることができる。
【図面の簡単な説明】
【図１】本発明の第１実施形態のリーフスイッチの側面図である。
【図２】本発明の第２実施形態のリーフスイッチの側面図である。
【符号の説明】
１，２，１１，１２，１６  導電性接片
３，１３  フレキシブルプリント基板
３ａ，３ｂ，１３ａ，１３ｂ，１３ｃ  パターン
１１ｄ，１２ｄ，１６ｄ  突起
４，１４  ビス
５，１５  ケース
【図１】
0003727996.tif 000002
【図２】
0003727996.tif 000003